(57)【特許請求の範囲】
【請求項１】
複数の放送局がそれぞれ所定の複数のチャンネルを放送している場合であって、選局中のチャンネルを放送している放送局により放送されている全チャンネルのイベント情報テーブルが取得された場合に、前記イベント情報テーブルに基づき、前記選局中のチャンネルと前記選局中のチャンネルを放送している放送局により放送されている他のチャンネルとがイベント共有でないと判断されたときは前記他のチャンネルを選局し、イベント共有でないと判断されなかったときは前記選局中のチャンネルを放送している放送局とは異なる放送局により放送されているチャンネルを選局するように制御する制御手段を備えたことを特徴とするデジタル放送受信機の選局装置。
【請求項２】
前記制御手段は、前記選局中のチャンネルを放送している放送局により放送されるイベント情報テーブルが取得されなかった場合は前記選局中のチャンネルを放送している放送局とは異なる放送局により放送されているチャンネルを選局することを特徴とする請求項１記載のデジタル放送受信機の選局装置。
【請求項３】
デジタル放送を受信する受信手段を備えたデジタル放送受信機において、
請求項１乃至２のうちのいずれか１つに記載のデジタル放送受信機の選局装置を備えたことを特徴とするデジタル放送受信機。
【発明の詳細な説明】
【技術分野】
【０００１】
本発明は、地上デジタルテレビジョン放送などのデジタル放送を受信するためのデジタル放送受信機とその選局装置とに関する。
【背景技術】
【０００２】
現在、デジタル放送の複数のチャンネルを介して複数の番組等が提供されているときにデジタル放送受信機においてチャンネルを選局する（デジタル放送の技術分野では「サービスを選択する」ともいう。非特許文献１を参照。）ための方法は、２通り存在する。その第１の方法では、デジタル放送受信機に登録されている各放送局の全チャンネルを順番に切り換える。ただし、異なるチャンネルのコンテンツが同一のイベント（又は番組）である、すなわち複数のチャンネルが「イベント共有である」と判断されれば、同じイベントを提供するチャンネルを個別には選局しない。この方法では、選局を行うために、例えばチャンネルアップボタン及びチャンネルダウンボタンを備えたリモートコントローラ又は受信機本体を用いることができる。また、その第２の方法では、デジタル放送受信機に登録されている放送局を切り換えるためのボタンと、１つの放送局によって提供される複数のチャンネルを切り換えるためのボタンとが別個に設けられたリモートコントローラ又は受信機本体を用いて、チャンネルの選局を行う。例えば、このとき、選局のためのリモートコントローラ又は受信機本体は、第１の方法のものとは異なるチャンネルアップボタン及びチャンネルダウンボタンと、チャンネル切り換えボタンとを備えて構成される。
【０００３】
特許文献１及び２は、例示的な従来技術の選局装置を備えたデジタル放送受信機を開示している。また、非特許文献１は、選局方法及びイベント共有の仕様を説明している。
【０００４】
【特許文献１】特開２００１−８１１７号公報。
【特許文献２】特開２００３−９０２９号公報。
【非特許文献１】社団法人電波産業会，「地上デジタルテレビジョン放送運用規定  技術資料  ＡＲＩＢ  ＴＲ−Ｂ１４」，１．２版，第二編６．３  番組選局，第四編１７  イベント共有，平成１４年１１月２７日。
【発明の開示】
【発明が解決しようとする課題】
【０００５】
上述の第１の方法によるチャンネル選局では、チャンネルアップボタン及びチャンネルダウンボタンを用いて全チャンネルを順番に切り換える。受信不可能状態になったときにはイベント共有についての情報の取得に失敗し、複数のチャンネルがイベント共有であるか否かについて判断できなくなるので、同じ放送局による複数のチャンネルを（受信できないのにもかかわらず）すべて選局しなければならなくなり、デジタル放送受信機の操作性が低下する。また、上述の第２の方法を用いる場合には、リモートコントローラや受信機本体に２種類のボタンを用意する必要がある。デジタル放送受信機を移動体装置に実装した場合には、その操作部を見ないで操作したりするので、ボタンの個数の増大は操作性の低下をもたらす。
【０００６】
本発明の目的は、デジタル放送受信機において、従来技術に比較してボタンの個数を増大させず、その操作性をさらに向上させることができるデジタル放送受信機とその選局装置を提供することにある。
【課題を解決するための手段】
【０００７】
以上の課題を解決するために、本発明の第１の態様に係るデジタル放送受信機の選局装置は、複数の放送局がそれぞれ所定の複数のチャンネルを放送しているとき、選局中のチャンネルを放送している放送局により放送されている全チャンネルのイベント情報テーブルを取得し、上記イベント情報テーブルに基づき、上記選局中のチャンネルと、上記選局中のチャンネルを放送している放送局により放送されている他のチャンネルとがイベント共有でないと判断したとき、上記他のチャンネルを選局するように制御する制御手段を備えたことを特徴とする。
【０００８】
上記デジタル放送受信機の選局装置において、上記制御手段は、上記選局中のチャンネルと、上記選局中のチャンネルを放送している放送局により放送されている他のチャンネルとがイベント共有でないと判断されなかったとき、上記選局中のチャンネルを放送している放送局とは異なる放送局により放送されているチャンネルを選局することを特徴とする。
【０００９】
上記デジタル放送受信機の選局装置において、上記制御手段は、上記選局中のチャンネルのイベント情報テーブルが取得されなかったとき、上記選局中のチャンネルを放送している放送局とは異なる放送局により放送されているチャンネルを選局することを特徴とする。
【００１０】
従って、本発明の第１の態様に係るデジタル放送受信機の選局装置は、登録されている放送局の先頭チャンネルのみを切り換えるようにして、イベント情報テーブルを監視して「イベント共有ではない（すなわち、異なる番組であるチャンネルが存在する）」と判断できたときのみ、先頭以外のチャンネルを選局する。
【００１１】
また、本発明の第２の態様に係るデジタル放送受信機は、デジタル放送を受信する受信手段を備えたデジタル放送受信機において、上記デジタル放送受信機の選局装置を備えたことを特徴とする。
【発明の効果】
【００１２】
「イベント共有でない」と判断したときのみ、各放送局により放送されているチャンネルのうちの先頭以外のチャンネルを選局し、「イベント共有でない」と判断されなかったときは、各放送局により放送されているチャンネルのうちの先頭チャンネルのみを選局するので、デジタル放送受信機の操作性が向上する。本発明の選局装置を備えたデジタル放送受信機のためのリモートコントローラ又は操作部では、ボタンの個数を少なくすることができるので、デジタル放送受信機を移動体装置に実装した場合でも、その操作性は低下することがない。
【発明を実施するための最良の形態】
【００１３】
以下、図面を参照して本発明の一実施形態について説明する。
【００１４】
図１は、本発明の一実施形態に係るデジタル放送受信機１０のハードウェア構成を示すブロック図である。図１のデジタル放送受信機１０は、地上デジタルテレビジョン放送などのデジタル放送の無線周波信号をアンテナ１及び無線入力端子２を介して受信する。デジタル放送受信機１０の内部には、バス２０にそれぞれ接続されたチューナ１１、復調器１２、ＴＳデコーダ１３、ＡＶデコーダ１４、コントローラ１５、フラッシュＲＯＭ１７、ＲＡＭ１８、及びＥＥＰＲＯＭ１９が設けられ、最初にチューナ１１は、無線入力端子２を介して受信された無線周波信号から所定周波数のチャンネルを選局して、復調器１２に出力する。復調器１２は、選局されたチャンネルの変調信号を復調してＴＳデコーダ１３に出力し、ＴＳデコーダ１３は、復調された信号からトランスポートストリーム（ＴＳ）信号をデコードしてＡＶデコーダ１４に出力し、ＡＶデコーダ１４は、デコードされたＴＳ信号から映像信号及び音声信号をデコードし、映像信号をビデオ出力端子３から出力し、音声信号をオーディオ出力端子４から出力する。コントローラ１５はＣＰＵ１６を備え、また操作部２１からのユーザの入力に応答してデジタル放送受信機１０全体の動作をバス２０を介して制御する。フラッシュＲＯＭ１７はプログラムやユーザ固有の情報を格納する記憶装置であり、ＲＡＭ１８はプログラムの内部情報などを格納する記憶装置であり、ＥＥＰＲＯＭ１９はユーザ固有の情報やデジタル放送受信機１０のシステム設定情報などを格納する記憶装置である。コントローラ１５は、無線周波信号上で伝送された番組配列情報（Service Information：ＳＩ）をＴＳデコーダ１３から取得して、ＲＡＭ１８に格納する。ＳＩは、放送された番組の名称、放送日時、内容の説明などの番組に関する情報を示すイベント情報テーブル（event information table：ＥＩＴ）を含み、本実施形態においてコントローラ１５は、ＥＩＴの情報に基づいてチャンネル選局処理を実行する。
【００１５】
図２は、図１のデジタル放送受信機１０を制御するためのリモートコントローラ２２を示す上面図である。リモートコントローラ２２は、デジタル放送のチャンネルを、そのチャンネル番号が増大するように変更するチャンネルアップボタン２２Ａと、そのチャンネル番号が減少するように変更するチャンネルダウンボタン２２Ｂとを備えて構成される。各チャンネル番号は３桁の数字により特定される。ユーザがこれらのボタン２２Ａ及び２２Ｂを押すことにより発生した制御信号は、操作部２１を介してデジタル放送受信機１０に伝送される。操作部２１はさらに、リモートコントローラ２２のボタン２２Ａ及び２２Ｂと同様にデジタル放送のチャンネルを変更するためのチャンネルアップボタン及びチャンネルダウンボタンを備えていてもよい。
【００１６】
図３は、図１のコントローラ１５によって実行されるチャンネル選局処理を示すフローチャートである。デジタル放送受信機１０において、ある放送局により放送されている１つ又は複数のチャンネルのうちの１つのチャンネルが選局されて受信されているとき、ユーザがリモートコントローラ２２のボタン２２Ａを押すことによりチャンネルを変更させるための制御信号が発生してデジタル放送受信機１０に伝送されると、コントローラ１５はチャンネル選局処理を開始して、ステップＳ１において、現在選局中のチャンネルが、当該選局中のチャンネルの放送局により放送されている全チャンネルのうちの最後のチャンネルであるか否かを判断する。最後のチャンネルであった場合にはステップＳ６に進み、そうではない場合にはステップＳ２に進む。コントローラ１５は、ステップＳ２において、選局中のチャンネルを放送している放送局により放送されている全チャンネルのＥＩＴを取得しようと試み、ＥＩＴが取得された場合にはステップＳ３からステップＳ４に進み、ＥＩＴが取得されなかった場合にはステップＳ３からステップＳ６に進む。取得されるＥＩＴの内容については、図７を参照して後述する。ステップＳ４において、コントローラ１５は、ＥＩＴに基づいて、選局中のチャンネルの放送局により放送されている全チャンネルのうちで、選局中のチャンネルとは「イベント共有でない」チャンネルが存在するか否かを判断する。コントローラ１５は、そのようなイベント共有でないチャンネルが存在すれば、ステップＳ５においてそのチャンネルを選局してチャンネル選局処理を終了する一方、そのようなチャンネルが存在しなければ、ステップＳ６において次の放送局により放送されている全チャンネルのうちの先頭のチャンネルを選局して、チャンネル選局処理を終了する。
【００１７】
以上、図３のチャンネル選局処理の説明では、ユーザがリモートコントローラ２２のチャンネルアップボタン２２Ａを押した場合の動作について説明したが、ユーザがリモートコントローラ２２のチャンネルダウンボタン２２Ｂを押した場合でも処理は同様に実行される。
【００１８】
図４は、図１のデジタル放送受信機１０を用いたときの基本的なチャンネル選局動作を示す概略図である。上述したように、各チャンネルは３桁の数字により特定される。本実施形態では、７つの放送局Ａ局乃至Ｇ局が存在し、Ａ局はチャンネル０１１及び０１２を放送し、Ｂ局はチャンネル０２１、０２２及び０２３を放送し、Ｃ局はチャンネル０４１、０４２及び０４３を放送し、Ｄ局はチャンネル０６１、０６２及び０６３を放送し、Ｅ局はチャンネル０７１、０７２及び０７３を放送し、Ｆ局はチャンネル０８１及び０８２を放送し、Ｇ局はチャンネル１０１、１０２及び１０３を放送する。図４の場合では、デジタル放送受信機１０のコントローラ１５は、いずれかのチャンネルが「イベント共有ではない」と判断していないので、リモートコントローラ２２のボタン２２Ａ及び２２Ｂが押されたとき、各放送局Ａ局乃至Ｇ局により放送されるチャンネルのうちの先頭のチャンネルのみを選局するように動作する。
【００１９】
図５は、図１のデジタル放送受信機１０を用いたときのチャンネル選局動作であって、各放送局によりそれぞれ放送されるすべてのチャンネルがイベント共有である場合を示す概略図である。各放送局Ａ局乃至Ｇ局により放送されるチャンネルは、それぞれイベント共有のチャンネルのグループ３１乃至３７を構成する。このようにイベント共有であるとき、デジタル放送受信機１０のコントローラ１５は、いずれかのチャンネルが「イベント共有ではない」と判断することは決してないので、リモートコントローラ２２のボタン２２Ａ及び２２Ｂが押されたとき、各放送局Ａ局乃至Ｇ局により放送されるチャンネルのうちの先頭のチャンネルのみを選局するように動作する。
【００２０】
図６は、図１のデジタル放送受信機１０を用いたときのチャンネル選局動作であって、各放送局によりそれぞれ放送されるチャンネルのうち、イベント共有であるチャンネルとイベント共有ではないチャンネルとが存在する場合を示す概略図である。Ａ局が放送するチャンネル０１１及び０１２は互いにイベント共有ではない。Ｂ局が放送するチャンネル０２１及び０２２は互いにイベント共有であり、チャンネル０２３はこれらとはイベント共有ではない。Ｅ局が放送するチャンネル０７２及び０７３は互いにイベント共有であり、チャンネル０７１はこれらとはイベント共有ではない。Ｃ局、Ｄ局、Ｆ局及びＧ局によって放送されるチャンネルは、それぞれイベント共有のチャンネルのグループ４２、４３、４５及び４６を構成する。
【００２１】
図７（ａ）は図６のＣ局によって放送されるチャンネル０４１、０４２及び０４３の例示的なＥＩＴ５１、５２及び５３を示し、図７（ｂ）は図６のＡ局によって放送されるチャンネル０２１、０２２及び０２３の例示的なＥＩＴ５４、５５及び５６を示す概略図である。ＥＩＴの詳細は、非特許文献１に開示されている。図７（ａ）において、各チャンネル０４１、０４２及び０４３は、それらに固有のサービス識別子（service_id）として「０４１」、「０４２」及び「０４３」をそれぞれ有し、放送中のイベント（番組）を示すイベント識別子（event_id）として「９８」、「７６５」及び「４３２１」をそれぞれ有する。チャンネル０４１のＥＩＴ５１は、チャンネル０４１、０４２及び０４３のそれぞれに係るサービス識別子及びイベント識別子の組を備えたことにより、これらのチャンネル０４１、０４２及び０４３がイベント共有であることを示す。チャンネル０４２及び０４３のＥＩＴ５２及び５３は、チャンネル０４１に係るサービス識別子及びイベント識別子の組をそれぞれ備えたことにより、チャンネル０４２及び０４３のそれぞれがチャンネル０４１とイベント共有であることを示すとともに、イベント共有のグループに含まれる他の全チャンネルのリストはチャンネル０４１のＥＩＴ５１にあることを示す。従って、チャンネル０４２又は０４３を選局しているとき、イベント共有であるチャンネルを調べるためには、チャンネル０４１のＥＩＴ５１が参照される。
【００２２】
図７（ｂ）において、各チャンネル０２１、０２２及び０２３は、それらに固有のサービス識別子として「０２１」、「０２２」及び「０２３」をそれぞれ有し、放送中のイベント（番組）を示すイベント識別子として「１２３４」、「５６７」及び「８９」をそれぞれ有する。チャンネル０２１のＥＩＴ５４は、チャンネル０２１及び０２２のそれぞれに係るサービス識別子及びイベント識別子の組を備えたことにより、これらのチャンネル０２１及び０２２がイベント共有であり、チャンネル０２３とはイベント共有でないことを示す。チャンネル０２２のＥＩＴ５５は、チャンネル０２１に係るサービス識別子及びイベント識別子の組を備えたことにより、チャンネル０２２がチャンネル０２１とイベント共有であることを示すとともに、イベント共有のグループに含まれる他の全チャンネルのリストはチャンネル０２１のＥＩＴ５４にあることを示す。従って、チャンネル０２２を選局しているとき、イベント共有であるチャンネルを調べるためには、チャンネル０２１のＥＩＴ５１が参照される。チャンネル０２３のＥＩＴ５６は他のチャンネルに係るサービス識別子及びイベント識別子の組を持たず、従って他のチャンネルとはイベント共有でないことを示す。
【００２３】
ＥＩＴの仕様によれば（非特許文献１を参照）、あるチャンネルを選局中には、そのチャンネルのＥＩＴのみではなく、選局中のチャンネルの放送局の全チャンネルのＥＩＴを取得することができる。例えば、Ｂ局のチャンネル０２１を選局していれば、デジタル放送受信機１０はＥＩＴ５４を取得できるだけでなく、同じＢ局の他のチャンネル０２２及び０２３のＥＩＴ５５及び５６も取得できる。要約すると、同じ放送局に係るチャンネルのＥＩＴは、その放送局に係るどのチャンネルを選局していても参照することができる。
【００２４】
本実施形態によれば、デジタル放送受信機１０がチャンネル０２１を受信しているとき、例えばリモートコントローラ２２のボタン２２Ａが押されると、デジタル放送受信機１０のコントローラ１５は、ＥＩＴ５４に基づいてチャンネル０２３が「イベント共有ではない」チャンネルであると判断し、チャンネル０２３を選局するように動作する。同様に、デジタル放送受信機１０がチャンネル０２２を受信しているとき、例えばリモートコントローラ２２のボタン２２Ａが押されると、コントローラ１５は、ＥＩＴ５５と、ＥＩＴ５５から参照されるＥＩＴ５４とに基づいて、チャンネル０２３が「イベント共有ではない」チャンネルであると判断し、チャンネル０２３を選局するように動作する。また、Ｃ局により放送されるチャンネル０４１、０４２及び０４３のいずれかを受信しているとき、「イベント共有ではない」チャンネルが存在すると判断されることは決してないので、リモートコントローラ２２のボタン２２Ａ又は２２Ｂが押されると、デジタル放送受信機１０のコントローラ１５は、放送局Ｂ又はＤにより放送されるチャンネルのうちの先頭のチャンネルを選局するように動作する。
【００２５】
図６において、デジタル放送受信機１０のコントローラ１５は、リモートコントローラ２２のボタン２２Ａ又は２２Ｂが押されたとき、互いに「イベント共有ではない」と判断されたチャンネルを順に選局するが、このとき、イベント共有のグループであると判断されたチャンネルの組からは１つのチャンネルのみを選局するように動作する。従って、本実施形態によれば、デジタル放送のチャンネル選局を簡単化することができる。
【００２６】
変形例．
リモートコントローラ２２は、２つのボタン２２Ａ及び２２Ｂに代えて、単一の選局ボタンのみを備えていてもよい。ユーザがこの単一の選局ボタンを押したとき、デジタル放送受信機１０のコントローラ１５は、すでに説明した実施形態と同様に、「イベント共有でない」と判断したときのみ、各放送局により放送されているチャンネルのうちの先頭以外のチャンネルを選局し、「イベント共有でない」と判断されなかったときは、各放送局により放送されているチャンネルのうちの先頭チャンネルのみを選局する。
【００２７】
以上説明したデジタル放送受信機１０は単なる例示であって、本発明のデジタル放送受信機の選局装置は、本明細書に記載した実施形態のみに限定されるものではない。
【図面の簡単な説明】
【００２８】
【図１】本発明の一実施形態に係るデジタル放送受信機１０のハードウェア構成を示すブロック図である。
【図２】図１のデジタル放送受信機１０を制御するためのリモートコントローラ２２を示す上面図である。
【図３】図１のコントローラ１５によって実行されるチャンネル選局処理を示すフローチャートである。
【図４】図１のデジタル放送受信機１０を用いたときの基本的なチャンネル選局動作を示す概略図である。
【図５】図１のデジタル放送受信機１０を用いたときのチャンネル選局動作であって、各放送局によりそれぞれ放送されるすべてのチャンネルがイベント共有である場合を示す概略図である。
【図６】図１のデジタル放送受信機１０を用いたときのチャンネル選局動作であって、各放送局によりそれぞれ放送されるチャンネルのうち、イベント共有であるチャンネルとイベント共有ではないチャンネルとが存在する場合を示す概略図である。
【図７】（ａ）は図６のＣ局によって放送されるチャンネル０４１、０４２及び０４３のＥＩＴ５１、５２及び５３を示し、（ｂ）は図６のＡ局によって放送されるチャンネル０２１、０２２及び０２３のＥＩＴ５４、５５及び５６を示す概略図である。
【符号の説明】
【００２９】
１…アンテナ、
２…無線入力端子、
３…ビデオ出力端子、
４…オーディオ出力端子、
１０…デジタル放送受信機、
１１…チューナ、
１２…復調器、
１３…ＴＳデコーダ、
１４…ＡＶデコーダ、
１５…コントローラ、
１６…ＣＰＵ、
１７…フラッシュＲＯＭ、
１８…ＲＡＭ、
１９…ＥＥＰＲＯＭ、
２０…バス、
２１…操作部、
２２…リモートコントローラ、
２２Ａ…チャンネルアップボタン、
２２Ｂ…チャンネルダウンボタン、
３１，３２，３３，３４，３５，３６，３７，４１，４２，４３，４４，４５，４６…イベント共有のチャンネルのグループ、
５１，５２，５３，５４，５５，５６…ＥＩＴ。
【図１】
0004801474.tif 000002
【図２】
0004801474.tif 000003
【図３】
0004801474.tif 000004
【図４】
0004801474.tif 000005
【図５】
0004801474.tif 000006
【図６】
0004801474.tif 000007
【図７】
0004801474.tif 000008